(57)【要約】【課題】上下の姿勢を安定させやすい気球付き吹流し具を提供する。【解決手段】気球付き吹流し具１は気球部２と吹流し部３とを有する。気球部２は内部に浮揚ガスを充填可能な空洞を有する。吹流し部は細長い形状を有し、一端に風取入口４を有し、他端に風排出口５を有する。吹流し部３は側部が気球部２の下部に取り付けられる。吹流し部３は側部に飾り片６を有し、内部から飾り片６に向けて風を吹き出す通風孔７を有する。通風孔７は複数から成り、飾り片６を挟む両側から飾り片６に向けて風を吹き出すよう配置されている。【選択図】図１
2020124404.tif 000002
【特許請求の範囲】
【請求項１】
気球部と吹流し部とを有し、
前記気球部は内部に浮揚ガスを充填可能な空洞を有し、
前記吹流し部は細長い形状を有し、一端に風取入口を有し他端に風排出口を有し、側部が前記気球部の下部に取り付けられていることを、
特徴とする気球付き吹流し具。
【請求項２】
前記吹流し部は側部に飾り片を有し、内部から前記飾り片に向けて風を吹き出す通風孔を前記側部に有することを、特徴とする請求項１記載の気球付き吹流し具。
【請求項３】
前記通風孔は複数から成って前記飾り片を挟む両側から前記飾り孔に向けて風を吹き出すよう配置されていることを、特徴とする請求項２記載の気球付き吹流し具。
【請求項４】
前記飾り片は一端が前記側部に取り付けられ、前記通風孔は前記飾り片の下方に配置されていることを、特徴とする請求項２記載の気球付き吹流し具。
【発明の詳細な説明】
【技術分野】
【０００１】
本発明は、気球付き吹流し具に関する。
【背景技術】
【０００２】
従来の吹流し具として、鯉のぼりに代表されるように、布やナイロン等で筒状の魚型を形成して外側表面に魚模様を施したものが一般に知られている。その従来の吹流し具は、先端を紐で支柱やロープに取り付け、先端の開口部から本体内部に風を通し、風にたなびく様を楽しむことができる。特許文献１には、内部を空洞とし、任意の形状のチューブ骨格を本体内側に設け、チューブ骨格の内部に注入口よりヘリウムガスを注入してチューブ骨格を膨張させることが可能な鯉のぼりが開示されている。
【先行技術文献】
【特許文献】
【０００３】
【特許文献１】特開２００３−２９９５６７号
【発明の概要】
【発明が解決しようとする課題】
【０００４】
しかしながら、特許文献１に記載の鯉のぼりでは、鯉のぼり本体が回転して上下がひっくり返りやすく、上下の姿勢を安定させておくことが難しいという課題があった。
【０００５】
本発明は、このような課題に着目してなされたもので、上下の姿勢を安定させやすい気球付き吹流し具を提供することを目的とする。
【課題を解決するための手段】
【０００６】
上記目的を達成するために、本発明に係る気球付き吹流し具は、気球部と吹流し部とを有し、前記気球部は内部に浮揚ガスを充填可能な空洞を有し、前記吹流し部は細長い形状を有し、一端に風取入口を有し他端に風排出口を有し、側部が前記気球部の下部に取り付けられていることを、特徴とする。
【０００７】
本発明に係る気球付き吹流し具は、紐等で支柱やロープなどに取り付けて使用することができる。気球部の内部にヘリウムガスなどの浮揚ガスを充填することにより、気球部を上側にし、吹流し部を下側にして、上下の姿勢を安定させた状態で空中に浮揚させることができる。吹流し部は、風取入口から風を取り入れ、風排出口から風を排出することにより風にたなびく様を楽しむことができる。
【０００８】
本発明に係る気球付き吹流し具において、前記吹流し部は側部に飾り片を有し、内部から前記飾り片に向けて風を吹き出す通風孔を前記側部に有することが好ましい。
この場合、吹流し部の飾り片が通風孔から吹き出す風に煽られて、躍動感のある動きを得ることができる。
【０００９】
本発明に係る気球付き吹流し具において、前記通風孔は複数から成って、前記飾り片を挟む両側から前記飾り孔に向けて風を吹き出すよう配置されていることが好ましい。
この場合、飾り片が両側の通風孔から吹き出す風に煽られて、より躍動感のある動きを得ることができる。
【００１０】
本発明に係る気球付き吹流し具において、前記飾り片は一端が前記側部に取り付けられ、前記通風孔は前記飾り片の下方に配置されていることが好ましい。
この場合、飾り片が下方の通風孔から吹き出す風に煽られて、より躍動感のある動きを得ることができる。
【００１１】
本発明に係る気球付き吹流し具は、動物や魚、想像上の生き物、物語の登場人物などいかなる形状を有していてもよい。本発明に係る気球付き吹流し具は、アドバルーンのような広告媒体として活用されてもよい。
【発明の効果】
【００１２】
本発明によれば、上下の姿勢を安定させやすい気球付き吹流し具を提供することができる。
【図面の簡単な説明】
【００１３】
【図１】本発明の実施の形態の気球付き吹流し具を示す斜視図である。
【図２】本発明の実施の形態の気球付き吹流し具の変形例を示す縦断面端面図である。
【発明を実施するための形態】
【００１４】
以下、図面に基づき、本発明の実施の形態について説明する。
図１は、本発明の実施の形態の気球付き吹流し具を示している。
気球付き吹流し具１は、気球部２と、吹流し部３と、風取入口４と、風排出口５と、複数の飾り片６と、通風孔７とを有している。気球付き吹流し具１は、龍の形状を有する龍のぼりとして用いることができる。
【００１５】
気球部２は、塩化ビニル樹脂やゴムなどの気密性の素材から成り、内部が空洞である。気球部２は、注入口２ａを有し、注入口２ａからヘリウムガスなどの空気より軽い浮揚ガスを内部に充填することができる。気球部２は、龍の頭部と首部をかたどった形状を有している。
【００１６】
吹流し部３は、細長い円筒形状を有し、一端に風取入口４を有し、他端に風排出口５を有している。吹流し部３は、布製やナイロン製の長方形の生地を細長い円筒状になるよう縫い合わせて形成される。風取入口４は、リング状の補強材４ａが縫い付けられて常時開いた状態に保たれている。吹流し部３は、外面に龍の胴体の絵が描かれている。吹流し部３の側面部には、龍の手足を表現した飾り部材３ａが取り付けられている。吹流し部３は、側部一端の上部が気球部２の下部に取り付けられている。
【００１７】
吹流し部３は、側部の上面部に複数の飾り片６を有している。また、吹流し部３は、側部に内部から飾り片６に向けて風を吹き出す通風孔７を複数有している。通風孔７は、飾り片６を挟む両側から飾り片６に向けて風を吹き出すよう配置されている。飾り片６は、龍の背びれをかたどった形状を有している。
【００１８】
気球付き吹流し具１は、支柱１０に吊り紐９で取り付けて使用することができる。気球部２の上方２箇所と吹流し部３の風取入口４の周囲３箇所には、取付穴８が設けられている。取付穴８に吊り紐９の一端を取り付け、支柱１０に吊り紐９の他端を取り付けて、気球付き吹流し具１を支柱１０に取り付けることができる。
【００１９】
気球付き吹流し具１は、気球部２を上側にし、吹流し部３を下側にして、上下がひっくり返ることなく、上下の姿勢を安定させた状態で空中に浮揚させることができる。吹流し部３は、風取入口４から風を取り入れ、風排出口５から風を排出することにより風にたなびく様を楽しむことができる。また、飾り片６が両側の通風孔７から吹き出す風に煽られて、より躍動感のある動きを得ることができる。通風孔７から吹き出す風により、龍の胴体に見立てた吹流し部３はくねくねと動き、あたかも龍が空中を飛翔するような動きを楽しむことができる。
【００２０】
なお、図２に示すように、飾り片６は一端が吹流し部３の側部の上部に取り付けられ、通風孔７は飾り片６の下方に配置されていてもよい。この場合、飾り片６が下方の通風孔７から吹き出す風に煽られて、より躍動感のある動きを得ることができる。
また、通風孔７を、吹流し部３の側部に取り付けた形状記憶合金で形成してもよい。形状記憶合金には、太陽熱で所定の温度以上になると通風孔７を拡大するもの、または太陽熱で所定の温度以上になると通風孔７を縮小するものを用いる。この場合、太陽が照って暑くなると、通風孔７を抜ける風量が変化し、それにより吹流し部３および飾り片６の動きが変化するため、天候の変化とともに変化する動きを楽しむことができる。
【００２１】
気球付き吹流し具１は、動物や魚、想像上の生き物、物語の登場人物などいかなる形状を有していてもよい。例えば「そりに乗ったサンタクロース」、「波に乗った七福神」、「雲に乗った仏陀」「箒に乗った魔女」などの形状にしてもよい。気球付き吹流し具１は、アドバルーンのような広告媒体として活用されてもよい。
【符号の説明】
【００２２】
１  気球付き吹流し具
２  気球部
２ａ  注入口
３  吹流し部
３ａ  飾り部材
４  風取入口
４ａ  補強材
５  風排出口
６  飾り片
７  通風孔
８  取付穴
９  吊り紐
１０  支柱
【図１】
2020124404.tif 000003
【図２】
2020124404.tif 000004
【手続補正書】
【提出日】令和1年5月8日(2019.5.8)
【手続補正１】
【補正対象書類名】特許請求の範囲
【補正対象項目名】全文
【補正方法】変更
【補正の内容】
【特許請求の範囲】
【請求項１】
気球部と吹流し部とを有し、
前記気球部は内部に浮揚ガスを充填可能な空洞を有し、
前記吹流し部は細長い形状を有し、一端に風取入口を有し他端に風排出口を有し、側部が前記気球部の下部に取り付けられており、
前記吹流し部は側部に飾り片を有し、内部から前記飾り片に向けて風を吹き出す通風孔を前記側部に有することを、
特徴とする気球付き吹流し具。
【請求項２】
前記通風孔は複数から成って前記飾り片を挟む両側から前記飾り孔に向けて風を吹き出すよう配置されていることを、特徴とする請求項１記載の気球付き吹流し具。
【請求項３】
前記飾り片は一端が前記側部に取り付けられ、前記通風孔は前記飾り片の下方に配置されていることを、特徴とする請求項１記載の気球付き吹流し具。
【手続補正２】
【補正対象書類名】明細書
【補正対象項目名】０００６
【補正方法】変更
【補正の内容】
【０００６】
上記目的を達成するために、本発明に係る気球付き吹流し具は、気球部と吹流し部とを有し、前記気球部は内部に浮揚ガスを充填可能な空洞を有し、前記吹流し部は細長い形状を有し、一端に風取入口を有し他端に風排出口を有し、側部が前記気球部の下部に取り付けられており、前記吹流し部は側部に飾り片を有し、内部から前記飾り片に向けて風を吹き出す通風孔を前記側部に有することを、特徴とする。
【手続補正３】
【補正対象書類名】明細書
【補正対象項目名】０００８
【補正方法】変更
【補正の内容】
【０００８】
本発明に係る気球付き吹流し具において、前記吹流し部は側部に飾り片を有し、内部から前記飾り片に向けて風を吹き出す通風孔を前記側部に有する。
このため、吹流し部の飾り片が通風孔から吹き出す風に煽られて、躍動感のある動きを得ることができる。